(57)【特許請求の範囲】
【請求項１】
曲データに基づいて演奏音を再生すると共に、歌詞を含む映像を表示するカラオケ装置において、
前記曲データは、
演奏音を指定する演奏データと、
前記演奏データの進行に沿って設けられたデータであって、複数の背景映像を再生順に指定する背景映像指定データと、
歌詞を指定する歌詞データであって、所定の長さに設定された表示単位の歌詞に各々対応する文字列と、前記各文字列を各々いつ表示させるかを指定する情報とを含む歌詞データと、
前記各表示単位の歌詞に各々対応する代替映像を指定する代替映像指定データと、を含むデータであり、
背景映像データと、代替映像データとを複数記憶する映像記憶手段と、
代替映像の表示指示を入力する指示入力手段と、
前記映像記憶手段に記憶された背景映像データまたは代替映像データを読み出して復号する復号手段を２つ有し、前記指示入力手段が代替映像の表示指示を入力していない場合は、前記背景映像指定データによって指定される背景映像の背景映像データを前記２つの復号手段の一方によって復号して再生し、前記指示入力手段が代替映像の表示指示を入力した場合は、表示中の前記歌詞に対応する前記代替映像指定データがなければ、前記背景映像指定データによって指定される背景映像の背景映像データを前記一方の復号手段によって復号して再生し、表示中の前記歌詞に対応する前記代替映像指定データがあれば、前記背景映像データを前記一方の復号手段によって復号しつつ、前記代替映像指定データによって指定される代替映像の代替映像データを前記２つの復号手段のうち他方の復号手段によって復号して再生する映像再生手段と
を備えることを特徴とするカラオケ装置。
【請求項２】
前記演奏データに基づいて演奏音を再生する演奏音再生手段と、
前記演奏音再生手段による演奏音の再生に同期して、前記歌詞データに基づいて表示すべき歌詞を特定して前記映像再生手段の出力結果に重畳する歌詞重畳手段と
を有することを特徴とする請求項１に記載のカラオケ装置。
【請求項３】
前記映像再生手段は、前記代替映像指定データによって指定される代替映像の代替映像データを再生した後、所定期間経過すると、前記背景映像指定データによって指定される背景映像の背景映像データの再生に切り替えることを特徴とする請求項１または２に記載のカラオケ装置。
【請求項４】
前記映像再生手段は、前記背景映像データと前記代替映像データの両方を用いた処理を施して再生する
ことを特徴とする請求項１乃至３のいずれかに記載のカラオケ装置。
【請求項５】
前記映像再生手段は、前記背景映像データおよび前記代替映像データのいずれか一方から他方へ、再生する映像の映像データを切り替える際に、前記処理を施して再生する
ことを特徴とする請求項４に記載のカラオケ装置。
【発明の詳細な説明】
【０００１】
【発明の属する技術分野】
本発明は、カラオケ装置に関し、特にカラオケ曲の歌詞に合った背景映像を表示するカラオケ装置に関する。
【０００２】
【従来の技術】
いわゆるカラオケ装置では、ユーザが希望の曲を選択すると、その曲の演奏音を再生すると共に、背景映像と当該曲の歌詞とをモニタに表示する。数世代前のカラオケ装置では、カラオケに使用する映像や音声の全データを記録したディスクを複数内部に収納し、曲番号に応じてこれらディスクの再生を選択的に行うことにより上記カラオケ演奏を行うようになっていた。
【０００３】
近年のカラオケ装置では、最新曲への対応を図るためなどの理由から、収納する複数のＬＤ（Laser Disc）またはＤＶＤ（Digital Versatile Disc）などのディスクに背景画像の背景映像データを複数記憶しておき、演奏音や歌詞のデータは通信ネットワークを経由してセンタ局から取得するようにした通信カラオケが主流となっている。すなわち、通信カラオケでは、通信ネットワークを経由して取得する曲データに、演奏音や歌詞のデータに加えて、背景映像を指定するデータ（以下、映像指定データ）を記述しておき、カラオケ装置は、カラオケ演奏の際に、この映像指定データに従って各ディスクに記録された背景映像データを指定された順で再生することにより、限られた映像資源（映像データ）から曲イメージに合った背景映像を選択して表示するように構成されている。
【０００４】
【発明が解決しようとする課題】
ところで、カラオケの背景映像に広告などの映像を表示するようにすれば、カラオケを広告宣伝媒体としても利用できるようになり、カラオケの利用価値を大幅に高めることができると考えられる。
しかしながら、そもそも背景映像は曲の雰囲気を盛り上げるために表示するものであるため、背景映像の代替となる広告などの映像（以下、代替映像という。）を常に表示しておくのは好ましくない。また、代替映像でさえも曲や歌詞に合ったものを表示できれば宣伝効果をより高めることができると考えられる。
【０００５】
そこで、本発明は、上述した事情に鑑みてなされたものであり、代替映像を選択的に、かつ、適切なタイミングで背景映像として表示することが可能なカラオケ装置を提供することを目的としている。
【０００６】
【課題を解決するための手段】
上述した課題を解決するため、本発明にあっては、曲データに基づいて演奏音を再生すると共に、歌詞を含む映像を表示するカラオケ装置において、
前記曲データは、
演奏音を指定する演奏データと、
前記演奏データの進行に沿って設けられたデータであって、複数の背景映像を再生順に指定する背景映像指定データと、
歌詞を指定する歌詞データであって、所定の長さに設定された表示単位の歌詞に各々対応する文字列と、前記各文字列を各々いつ表示させるかを指定する情報とを含む歌詞データと、
前記各表示単位の歌詞に各々対応する代替映像を指定する代替映像指定データと、を含むデータであり、
背景映像データと、代替映像データとを複数記憶する映像記憶手段と、
代替映像の表示指示を入力する指示入力手段と、
前記映像記憶手段に記憶された背景映像データまたは代替映像データを読み出して復号する復号手段を２つ有し、前記指示入力手段が代替映像の表示指示を入力していない場合は、前記背景映像指定データによって指定される背景映像の背景映像データを前記２つの復号手段の一方によって復号して再生し、前記指示入力手段が代替映像の表示指示を入力した場合は、表示中の前記歌詞に対応する前記代替映像指定データがなければ、前記背景映像指定データによって指定される背景映像の背景映像データを前記一方の復号手段によって復号して再生し、表示中の前記歌詞に対応する前記代替映像指定データがあれば、前記背景映像データを前記一方の復号手段によって復号しつつ、前記代替映像指定データによって指定される代替映像の代替映像データを前記２つの復号手段のうち他方の復号手段によって復号して再生する映像再生手段とを備えることを特徴とする。
【０００７】
上記構成によれば、代替映像の表示指示を入力した場合にのみ映像記憶手段から曲データに含まれる代替映像指定データによって指定され、歌詞に対応する代替映像の代替映像データを読み出して再生するので、歌詞に対応する代替映像を選択的に表示することが可能となる。
【０００９】
また、上記構成において、前記演奏データに基づいて演奏音を再生する演奏音再生手段と、前記演奏音再生手段による演奏音の再生に同期して、前記歌詞データに基づいて表示すべき歌詞を特定して前記映像再生手段の出力結果に重畳する歌詞重畳手段とを有するようにすれば、さらに、表示された歌詞に対応する代替映像を表示することが可能となる。
【００１０】
また、上記構成において、前記映像再生手段は、前記代替映像指定データによって指定される代替映像の代替映像データを再生した後、所定期間経過すると、前記背景映像指定データによって指定される背景映像の背景映像データの再生に切り替えるようにすれば、さらに、代替映像を所定期間表示した後、背景映像データの再生に復帰させることが可能となる。
【００１１】
また、上記構成において、前記背景映像データと前記代替映像データの両方を用いた処理を施して再生するようにすれば、背景映像データにクロスフェードなどの各種エフェクト処理を施して映像信号を出力することができる。
【００１２】
【発明の実施の形態】
以下、図面を参照して本発明の実施形態を詳述する。以下に示す実施形態は、本発明の一態様を示すものであり、この発明を限定するものではなく、本発明の範囲内で任意に変更可能である。
【００１３】
（１）  実施形態
（１．１）  実施形態の構成
図１は、本発明の実施形態の全体構成を示す図である。本実施形態におけるカラオケシステム１は、センタ局１０と、このセンタ局１０に通信ネットワークを介して接続されるカラオケ装置２０によって構成されている。
このカラオケシステム１において、センタ局１０は、各カラオケ装置２０に対してカラオケサービスを提供するための装置であり、具体的には、各カラオケ装置２０に定期的に曲データｄｍを配信したり、各カラオケ装置２０からのリクエストを受信してリクエストに合致する曲データｄｍをカラオケ装置２０に送信するためのものである。
【００１４】
図２に示すように、曲データｄｍは、この曲データｄｍの構成情報などを示すヘッダと、演奏音を指定する演奏データと、背景映像を指定する映像指定データｄｍｖと、歌詞を指定する歌詞データｄｍｓと、代替映像を指定する代替映像指定データｄｍａとから構成されている。ここで、代替映像とは、背景映像に代えて選択的に表示する映像であり、本実施形態では広告映像（ＣＭ：Commercial Message）を想定している。
【００１５】
より詳しく説明すると、演奏データは、演奏音を規定するデータを例えばＭＩＤＩ（Musical Instrument Digital Interface）規格で表したデータであり、演奏パートに対応する複数トラックにより構成され、各トラックは、当該演奏パートで発生すべき演奏イベントのイベントデータ（ノートオン、ノートオフなど）の集合から構成されている。
また、映像指定データｄｍｖは、背景映像を指定するデータであり、図２に一例を示すように、再生対象の複数の背景映像ファイル名（ｆａ１、ｆａ２、ｆａ３）を再生順で記述したデータである。
歌詞データｄｍｓは、同時に表示する歌詞の文字列、この文字列の表示開始時間、表示時間及びワイプ時間（文字列の色変更に要する時間）を記述した単位歌詞データｄｍｓｋ（ｋ＝１〜ｎ）を時系列に並べたデータである。
【００１６】
また、代替映像指定データｄｍａは、図２に一例を示すように、各単位歌詞データｄｍｓｋに対応づけられた代替映像ファイル名（ｆｂ１、ｆｂ２……ｆｂｍ）を指定するデータであり、より具体的には、単位歌詞データｄｍｓｋに含まれる歌詞（文字列）に関連する映像ファイル名、例えば、歌詞（文字列）に「旅」が含まれる場合は旅行会社の広告映像の映像ファイル名であったり、「悲しみ」が含まれる場合はリラクゼーションスポットなどの広告映像のファイル名を記述したデータである。なお、同図に示すように、単位歌詞データ（図２では単位歌詞データｄｍｓ３）に代替映像ファイルが対応づけされていない場合は、その旨が、代替映像指定データｄｍａの単位歌詞データｄｍｓ３に対応する領域に記述されるようになっている。
【００１７】
次に、カラオケ装置２０の構成を説明する。図３は、カラオケ装置２０の構成を示すブロック図である。同図に示すように、カラオケ装置２０のＣＰＵ２１は、ＲＯＭ２２に記憶されたプログラムに従ってバスを経由して接続された各部を制御するものである。ＲＯＭ２２には、カラオケ装置２０全体を制御するためのシステムプログラムの他、曲データｄｍに基づいてカラオケ演奏を行うための演奏プログラムなどが記憶されている。また、ＲＡＭ２３は、演奏する曲データｄｍを格納するなど、ＣＰＵ２１のワーキングエリアとして使用される。
映像用ハードディスクドライブ（以下、ハードディスクドライブをＨＤＤと表記する。）２４は、背景映像データのファイル（ファイル名ｆａ１、ｆａ２、ｆａ３・・・）と、代替映像データのファイル（ファイル名ｆｂ１〜ｆｂｍ・・・）とが複数記憶されているＨＤＤである。ここで、本実施形態では、上述したように、代替映像ファイルのデータとして各種ＣＭの背景映像データを使用する場合を想定している。なお、このＣＭの背景映像データは、ＣＭ業者がカラオケ業者と契約することによってカラオケ装置に事前に記憶されたものである。また、これら背景映像データは、ＭＰＥＧ２フォーマットで圧縮符号化された背景映像データが適用されるものとする。
【００１８】
映像再生部２５は、ＣＰＵ２１の制御の下、映像用ＨＤＤ２４から読み出された背景映像データ及び代替映像データをデコードして映像信号を出力するものであり、図４に示すように、２つのデコーダ２６、２７と、映像処理部２８とから構成されている。この２つのデコーダ２６、２７は、背景映像データ及び代替映像データを同時並列的にデコードしたり、映像切り替えをクロスフェードで行うために使用されるものである。また、映像処理部２８は、各デコーダ２６、２７から出力される背景映像データのいずれかを映像信号に変換して出力する映像信号切替部として機能すると共に、各デコーダ２６、２７から出力される背景映像データにクロスフェードなどの各種エフェクト処理を施して映像信号を出力するものである。
また、歌詞重畳部２９は、映像再生部２５から出力された映像信号に歌詞を重畳するものであり、表示装置３０は、例えば、ＣＲＴや液晶ディスプレイであり、歌詞重畳部２９から出力された映像信号に基づいて背景映像や歌詞の表示を行うものである。
【００１９】
通信インターフェース（通信Ｉ／Ｆ）３１は、電話線などの公衆回線３２と接続されている。また、パネルインターフェース（パネルＩ／Ｆ）３３はテンキーや操作ボタンなどの操作子を有して曲番号を入力したり、代替映像の表示指示を入力する際に使用される。
曲データ用ＨＤＤ３４は、センタ局１０から通信Ｉ／Ｆ３１を介して入力した曲データｄｍが複数記憶されているＨＤＤである。
音源３５は、曲データ用ＨＤＤ３４から読み出された曲データｄｍ中の演奏データに基づいて楽音の合成を行って音声信号を出力するものであり、アンプ３６は、音源３５から出力された音声信号を増幅し、スピーカ３７を介して外部に放音させるものである。また、このアンプ３６には図示しないマイクが接続されており、マイクを介して入力した音声を音源３５から入力した音声信号と合成してスピーカ３７から放音させるようになっている。
【００２０】
（１．２）  実施形態の動作
次に、このカラオケシステム１の動作について説明する。
まず、このカラオケシステム１では、センタ局１０が各カラオケ装置２０が使用されていないときに新曲の曲データｄｍを配信し、各カラオケ装置２０が受信した曲データｄｍを曲データ用ＨＤＤ３４に順次記憶させることによって、曲データ用ＨＤＤ３４に記憶される曲データｄｍを最新の内容に更新するようになっている。
なお、本実施形態においては、映像用ＨＤＤ２４に記憶される背景映像データ及び代替映像データの更新を行う場合は想定していないが、勿論更新を行うようにしてもよい。更新を行う場合は、曲データｄｍの更新と同様にセンタ局１０がこれら背景映像データを各カラオケ装置２０に配信するようにしてもよいし、映像用ＨＤＤ２４を交換したり、追加するようにしてもよい。
【００２１】
カラオケ装置２０において、パネルＩ／Ｆ３３から曲番号が入力されると、ＣＰＵ２１は、入力された曲番号に対応した曲データｄｍを曲データ用ＨＤＤ３４から読み出してＲＡＭ２３に格納し、この曲データｄｍに基づきカラオケ演奏を行う処理を実行する。以下、この曲データｄｍ中の映像指定データｄｍｖによって、背景映像ファイルｆａ１、背景映像ファイルｆａ２、背景映像ファイルｆａ３の順で再生指示がされている場合を例に説明するが、背景映像ファイルｆａ２以降は同様の再生処理を繰り替えせばよいので背景映像ファイルｆａ２以降の説明は省略する。
【００２２】
まず、ＣＰＵ２１は、曲データｄｍ中の演奏データを音源３５に供給することにより、演奏音をスピーカ３７から放音させる。
また、ＣＰＵ２１は、曲データｄｍ中の歌詞データｄｍｓに含まれる単位歌詞データｄｍｓｋのうち表示開始時間を示すデータを参照し、演奏の経過時間がその時間に至ったならば、その単位歌詞データ中の歌詞表示に関するデータ（文字列など）を歌詞重畳部２９に供給する。すると、歌詞重畳部２９は、供給されたデータに従って図示しないビデオＲＡＭを書き換えることによって、映像再生部２５から出力された映像信号に歌詞を重畳する。これにより、表示装置３０には、従来のカラオケ装置と同様に、演奏の進行に従って歌詞が表示され、さらに演奏の進行に合わせて歌詞の色が変更されて表示されるようになっている。
【００２３】
また、ＣＰＵ２１は、曲データｄｍに基づいて背景映像データを再生する処理を実行する。ここで、本実施形態のカラオケ装置２０では、パネルＩ／Ｆ３３から代替映像の表示指示を入力していない場合は、従来のカラオケ装置と同様に、曲データｄｍ中の映像指定データｄｍｖで指定される背景映像ファイルｆａ１、ｆａ２、ｆａ３のデータを再生順に再生するのに対し、代替映像の表示指示を入力した場合は従来と異なる処理を行うようになっている。以下、説明をわかりやすくするため、背景映像ファイルｆａ１のデータを再生中に代替映像の表示指示が入力された場合を例に説明する。
【００２４】
まず、背景映像ファイルｆａ１の再生は、ＣＰＵ２１が映像指定データｄｍｖに基づいて映像用ＨＤＤ２４に背景映像ファイルｆａ１の読み出しを指示することによって行われる。すなわち、この場合、映像用ＨＤＤ２４から背景映像ファイルｆａ１のデータが読み出され、映像再生部２５のデコーダ２６または２７によってデコードされた後、映像処理部２８にて映像信号に変換されて出力され、これにより、表示装置３０には、上述した歌詞の背景画像として背景映像ファイルｆａ１の映像が表示されることとなる。
【００２５】
そして、背景映像ファイルｆａ１の映像を再生中に、パネルＩ／Ｆ３３から代替映像の表示指示を入力すると、ＣＰＵ２１は、曲データｄｍ中の代替映像指定データｄｍａに基づいて、現在表示中の歌詞を記述した単位歌詞データｄｍｓｋ（例えばｄｍｓ１）に対応づけられた代替映像ファイルｆｂ１（図２参照）の読み出し指示を映像用ＨＤＤ２４に行うと共に、映像再生部２５の映像処理部２８に映像の切り替えを指示する。
これにより、映像用ＨＤＤ２４から、代替映像ファイルｆｂ１のデータが読み出され、デコーダ２６、２７のうち使用されてないデコーダ２７または２６にてデコードされた後、映像再生部２８により映像信号に変換されて出力されるようになっている。この結果、表示装置３０には、背景映像ファイルｆａ１の映像に代えて、代替映像ファイルｆｂ１の映像が背景映像として表示されるようになっている。
【００２６】
次に、ＣＰＵ２１は、演奏の経過時間が、次の単位歌詞データｄｍｓ２中の表示開始時間（ｎ２「ｓ」）に至ると、単位歌詞データｄｍｓ２中の歌詞表示に関するデータを歌詞重畳部２９に供給すると共に、映像処理部２８に映像の切り替えを指示する。
これにより、表示装置３０に表示される歌詞（あいうえお）は次の歌詞（かきくけこ）に切り替わるとほぼ同期して（図２参照）、映像再生部２５が、代替映像ファイルｆｂ１の映像信号に代えて、背景映像ファイルｆａ１の映像信号を出力することにより、表示装置３０に表示される背景映像が背景映像ファイルｆａ１の映像に切り替わるようになっている。
【００２７】
ここで、代替映像ファイルｆｂ１の映像を表示している場合でも背景映像ファイルｆａ１のデータはデコードし続けておくことがより好ましい。その理由は、映像指定データｄｍｖによって指示される複数の背景映像は、演奏曲の進行などに合うように再生順や組み合わせが予め定められており、代替映像の表示後に代替映像表示前の映像から再生を開始すると、曲の進行と映像の進行がずれてしまい、映像が中途半端な所で終わってしまうからである。なお、代替映像の表示指示を入力した場合でも、現在表示中の歌詞を記述した単位歌詞データｄｍｓｋ（例えばｄｍｓ３）に対応づけられた代替映像ファイルが、代替映像指定データｄｍａに記述されていない場合には、ＣＰＵ２１は、背景映像ファイルｆａ１の映像を表示し続けるようになっている。
【００２８】
このように、本実施形態に係るカラオケ装置２０は、曲データｄｍ中に歌詞に対応づけした代替映像のファイル名を記述しておき、カラオケ演奏中に所定の指示がなされた場合にのみ、その時点の歌詞に対応づけした代替映像を表示するようにしたことにより、代替映像を選択的に表示することが可能なだけでなく、歌詞にあった代替映像を表示させることが可能となっている。
【００２９】
（２）  変形例
本願発明は、上述した実施形態に限らず種々の態様にて実施することができる。例えば、以下のような変形実施が可能である。
【００３０】
（２．１）
上述の実施形態では、代替映像データや背景映像データがＭＰＥＧ２フォーマットで圧縮符号化された背景映像データである場合を説明したが、モーションＪＰＥＧ（Joint Photographic Experts Group）などの様々なデータ形式を適用でき、、また、動画に限らず、静止画のデータでもよい。
【００３１】
（２．２）
また、上述の実施形態では、代替映像を、表示指示があってから次の歌詞を表示するまでの間表示する場合について述べたが、代替映像の表示時間は予め定めた固定時間（５秒など）にしてもよく、また、代替映像データを再生し終わるまで表示するようにしてもよい。また、代替映像の表示指示が合った後は所定のキャンセル指示がなされるまで常に代替映像を表示させるようにしてもよい。
【００３２】
（２．３）
上述の実施形態では、広告映像を代替映像として使用する場合について述べたが、映像の内容は任意でよい。例えば、代替映像として外国人向けの映像を使用すれば、背景映像を日本人用と外国人用とで選択表示することが可能となる。また、代替映像として歌詞に対応する手話の映像を使用すれば、聴覚障害者などが手話映像から歌詞を理解したり、手話をまねてカラオケに参加することが可能となる。
【００３３】
（２．４）
上述の実施形態では、映像用ＨＤＤ２４に背景映像データや代替映像データを記憶しておく場合について述べたが、映像用ＨＤＤ２４に代えて、ディスクチェンジャー装置などのディスク再生装置を内蔵させ、このディスク再生装置に、これら背景映像データが記憶されたＤＶＤなどのディスクを再生させるようにしてもよい。
【００３４】
【発明の効果】
上述したように本発明によれば、代替映像を選択的に表示することが可能なだけでなく、歌詞にあった代替映像を表示させることが可能となっている。
【図面の簡単な説明】
【図１】  本発明の実施形態に係るカラオケシステムの全体構成を示す図である。
【図２】  曲データの構成を示す図である。
【図３】  カラオケ装置の構成を示すブロック図である。
【図４】  カラオケ装置の映像再生部の構成を示すブロック図である。
【符号の説明】
１……カラオケシステム、
１０……センタ局、
２０……カラオケ装置、
ｄｍ……曲データ、
ｆａ１、ｆａ２、ｆａ３……背景映像ファイル、
ｄｍａ……代替映像指定データ、
ｄｍｓ……歌詞データ、
ｄｍｓ１〜ｎ……単位歌詞データ、
ｄｍｖ……映像指定データ。
【図１】
0004122798.tif 000002
【図２】
0004122798.tif 000003
【図３】
0004122798.tif 000004
【図４】
0004122798.tif 000005